(57)【要約】    【課題】書籍の見開き面の内容を良好に画像形成することを可能とする画像処理装置を提供すること。    【解決手段】画像処理部において、書籍の見開き面のデータである画像データ５０は、副走査方向中央に位置するセンターライン５０１で、副走査方向前半側のデータである前半画像データ５０４と、副走査方向後半側のデータである後半画像データ５０５とに２分割される。また、前半画像データ５０４の先端から後半画像データ５０５の後端までの長さが複写紙の長さであるｌ2となるように、後半画像データ５０５が副走査方向後半側にずらされて、副走査方向の中央部分が無画像領域５１１となる画像データ５１が形成される。そして、画像データ５１を基にして複写紙に画像が形成される。これにより、複写紙の長辺方向中央のラインで複写紙上の画像が２分割されることになり見映えが良くなる。【選択図】            図７
2006186946.tif 000002
【特許請求の範囲】
【請求項１】
書籍を見開き状態にし、見開き面を下向きにして載置することのできる原稿載置台と、
書籍の見開き面を読取るブックモードを設定するためのブックモード設定手段と、
上記原稿載置台に載置された書籍の見開き面の内容を画像データとして読取る読取手段と、
上記ブックモード設定手段によってブックモードが設定されていることに応じて、上記原稿載置台に載置された書籍の見開き面の主走査方向の長さを検知し、その検知した長さに対応する短辺を有する定形サイズの用紙を複写紙として選択する複写紙選択手段と、
上記ブックモード設定手段によってブックモードが設定されていることに応じて、上記読取手段が読取った画像データを、その副走査方向中央を通る主走査方向のラインで２分割する画像データ分割手段と、
上記画像データ分割手段が２分割した画像データの副走査方向後半側を副走査方向後方にずらすことにより、副走査方向中央が無画像部分となり、かつ、上記複写紙選択手段により選択された定形サイズの複写紙の長辺方向の先端および後端に、２分割された画像データの先端および後端が揃うように複写を行う画像形成実行手段と、を備えることを特徴とする画像処理装置。
【請求項２】
上記選択された定形サイズの複写紙の長辺方向中央を中心とする一定領域を無画像部分とする補正を行うイレース手段を備えることを特徴とする請求項１に記載の画像処理装置。
【請求項３】
上記複写紙選択手段が選択した複写紙の短辺が、書籍の主走査方向の長さよりも一定割合長いときに、上記画像形成実行手段は、その割合に応じた拡大複写処理を行うことを特徴とする請求項１に記載の画像処理装置。
【請求項４】
書籍を見開き状態にし、見開き面を下向きにして載置することのできる原稿載置台と、
上記原稿載置台に載置された書籍の見開き面の内容を画像データとして読取る読取手段と、
上記読取手段が読取った画像データの主走査方向端部の領域のデータに基づいて、画像データ中に存在する影の副走査方向の位置を検知し、かつ、その影の濃さの度合いを検知する影検知手段と、
上記影検知手段により検知された影の位置および濃さの度合いに応じて、上記読取手段が読取った画像データを、主走査方向に延びるラインデータごとに影が消えるように濃度を調整するイレース手段と、を備えることを特徴とする画像処理装置。
【発明の詳細な説明】
【技術分野】
【０００１】
この発明は、画像処理装置に関する。
【背景技術】
【０００２】
複写機を用いた複写動作として、本や雑誌等の書籍を見開き状態にして、見開き面の内容を複写することがある。このような場合は、複写機の原稿載置台に、見開き状態の書籍を見開き面を下向きにして載置し、その見開き面を通常の原稿と同様に読取る。そして、
読取った画像データを基にして、複写紙に画像を形成する。
このような複写機では、たとえば、ユーザの操作によりブックモードを設定することができるようになっている。そして、ブックモードを設定して書籍の見開き面を読取ることで、読取った画像データに対して所定の処理を施すことができ、処理後の画像データを基にして画像を形成するため、良好な画像を形成することができる（たとえば、特許文献１参照）。
【特許文献１】特開平０６−１１９２６号公報
【発明の開示】
【発明が解決しようとする課題】
【０００３】
しかしながら、上記特許文献１に開示されているような装置であっても、書籍の見開き面を読取り、その見開き面の両ページの内容を１枚の複写紙に複写すると、画像が複写紙の長手方向に対して片方に寄ってしまう。これは、書籍に厚みがあるため、見開き面の左右のページの接合部分が原稿載置台から浮き上がり、その部分を原稿載置台に接触させることができないことに起因している。すなわち、書籍を見開き状態にして原稿載置台に載置すると、見開き面の副走査方向の長さが、見開き面の左右両ページの短辺を合わせた長さよりも短くなってしまう。
【０００４】
たとえば、見開き面の左端を原稿載置台の左端にあわせるようにして、書籍を原稿載置台に載置した場合には、読取る対象が全体として左に寄っているため、複写紙に形成される画像の中心も、複写紙の中心からずれてしまう。そのため、映えが悪く、特に、その複写紙を長辺方向中央で２つ折りにした際の見映えが悪いといった問題がある。
この発明は、かかる背景の基になされたもので、書籍の見開き面の内容を良好に画像形成することを可能とする画像処理装置を提供することを目的とする。
【課題を解決するための手段】
【０００５】
上記目的を達成するための請求項１に記載の発明は、書籍を見開き状態にし、見開き面を下向きにして載置することのできる原稿載置台（２５）と、書籍の見開き面を読取るブックモードを設定するためのブックモード設定手段（２４４）と、上記原稿載置台に載置された書籍の見開き面の内容を画像データとして読取る読取手段（２１，Ｓ４）と、上記ブックモード設定手段によってブックモードが設定されていることに応じて、上記原稿載置台に載置された書籍の見開き面の主走査方向の長さを検知し、その検知した長さに対応する短辺を有する定形サイズの用紙を複写紙として選択する複写紙選択手段（２０，Ｓ７）と、上記ブックモード設定手段によってブックモードが設定されていることに応じて、上記読取手段が読取った画像データを、その副走査方向中央を通る主走査方向のラインで２分割する画像データ分割手段（３０４，Ｓ１０）と、上記画像データ分割手段が２分割した画像データの副走査方向後半側を副走査方向後方にずらすことにより、副走査方向中央が無画像部分となり、かつ、上記複写紙選択手段により選択された定形サイズの複写紙の長辺方向の先端および後端に、２分割された画像データの先端および後端が揃うように複写を行う画像形成実行手段（２２，Ｓ１１）と、を備えることを特徴とする画像処理装置（１）である。
【０００６】
なお、括弧内の英数字は、後述の実施形態における対応構成要素などを表す。以下、この項において同じ。
この構成によれば、ブックモードが設定されている状態で書籍の見開き面が読取られると、画像データが副走査方向中央部分で２分割される。そして、その２分割された画像データの先端および後端が、選択された定形サイズの複写紙の長辺方向の先端および後端に揃うように複写が行われる。よって、複写した際の画像の中央部分と、複写紙の長辺方向の中央部分とが重なるため、複写紙の長辺方向中央のラインで複写紙上の画像が２分割されることになり見映えが良く、特に、複写紙を長辺方向中央のラインで２つ折りにした際の見映えが良い。ゆえに、書籍の見開き面の内容を良好に画像形成することができる。
【０００７】
請求項２に記載の発明は、上記選択された定形サイズの複写紙の長辺方向中央を中心とする一定領域を無画像部分とする補正を行うイレース手段（３０４）を備えることを特徴とする請求項１に記載の画像処理装置（１）である。
この構成によれば、複写紙の長辺方向中央を中心とする一定領域が無画像部分とされるので、書籍の見開き面の内容を読取ることにより生じる影の領域が、複写紙に画像形成されるのを防ぐことができる。すなわち、書籍の見開き面を下向きにしてその内容を読取った場合、書籍の見開き面の左右のページの接合部分が原稿載置台から浮き上がるため、画像データは、中央部分に影が生じたものとなってしまう。そこで、上記のように補正することで、複写紙に影の画像が形成されるのを防ぐことができる。
【０００８】
請求項３に記載の発明は、上記複写紙選択手段（２０）が選択した複写紙の短辺が、書籍の主走査方向の長さよりも一定割合長いときに、上記画像形成実行手段（２１）は、その割合に応じた拡大複写処理を行うことを特徴とする請求項１に記載の画像処理装置（１）である。
この構成によれば、書籍の主走査方向の長さよりも複写紙の短辺が一定割合長いときは、拡大複写処理が行われるので、画像を複写紙上において偏りなく形成することができる。よって、画像の見映えをより良くすることができる。
【０００９】
請求項４に記載の発明は、書籍を見開き状態にし、見開き面を下向きにして載置することのできる原稿載置台（２５）と、上記原稿載置台に載置された書籍の見開き面の内容を画像データとして読取る読取手段（２１，Ｓ４）と、上記読取手段が読取った画像データの主走査方向端部の領域のデータに基づいて、画像データ中に存在する影の副走査方向の位置を検知し、かつ、その影の濃さの度合いを検知する影検知手段（３０４，Ｓ８）と、上記影検知手段により検知された影の位置および濃さの度合いに応じて、上記読取手段が読取った画像データを、主走査方向に延びるラインデータごとに影が消えるように濃度を調整するイレース手段（３０４，Ｓ９）と、を備えることを特徴とする画像処理装置（１）である。
【００１０】
この構成によれば、読取った画像データにおいて、画像データ中に存在する影の状態に応じて調整が行われるので、書籍の見開き面の内容をさらに良好に画像形成することができる。すなわち、書籍の見開き面を下向きにしてその内容を読取った場合、書籍の見開き面の左右のページの接合部分が原稿載置台から浮き上がるため、画像データは、中央部分に影が生じたものとなる。さらに、見開き面は、見開き面の左右のページの接合部分にかけて徐々に浮き上がるため、画像データ中の影は、中央部分にかけて徐々に濃度が濃くなる。そこで、画像データ中に存在する影の位置および濃度に応じて調整を行うことで、画像データを良好に補正して、書籍の見開き面の内容を良好に画像形成することができる。
【００１１】
また、主走査方向端部の領域のデータには、通常、文字のデータが含まれていないため、画像データ中に存在する影の位置および濃度を的確に検知することができる。そして、その影の濃度に応じた濃度調整が行われることで、必要な文字等のデータを残しつつ、影を除去することができる。
【発明を実施するための最良の形態】
【００１２】
以下では、この発明の実施の形態を、添付図面を参照して詳細に説明する。
図１は、この発明の一実施形態にかかる画像処理装置を備えたデジタル複写機１の構成を概略的に示す正面図である。また、図２は、原稿押さえ板３を上方に回転させた状態のデジタル複写機１を概略的に示す図である。
デジタル複写機１には、略箱型の本体２と、本体２上に備えられた原稿押さえ板３とが備えられている。原稿押さえ板３は、後方を中心として上下に回動可能とされている（図２参照）。
【００１３】
本体２の上面には、原稿を載置するための原稿載置台２５が設けられている。また、本体２内には、原稿載置台２５に載置された原稿の内容を画像データとして読取る画像読取部２１と、画像読取部２１が読取った画像データに基づいて複写紙に画像を形成（印刷）する画像形成部２２と、画像を形成する各種サイズの複写紙を収容する用紙収容部２３とが備えられている。さらに、本体２には、上方前面にユーザが所定の操作をする操作表示部２４が備えられている。
【００１４】
図３は、操作表示部２４の構成を詳しく示す平面図である。
操作表示部２４には、その中央に液晶表示部２４１が備えられている。液晶表示部２４１の右方にはテンキー２４２ａやスタートキー２４２ｂなどで構成されるキー入力部２４２が備えられており、液晶表示部２４の左方には、ブックモード設定キー２４４が備えられている。
【００１５】
ユーザは、原稿載置台２５に、本や雑誌などの書籍を見開き状態にして、その見開き面を下向きにして載置することができる。ブックモード設定キー２４４は、書籍の見開き面を読取る際に用いられるキーであり、ブックモード設定キー２４４をオンしてブックモードを設定して複写を行うことで、その見開き面の内容を良好に複写することができる（後述する）。
【００１６】
図４は、デジタル複写機１の電気的構成を示すブロック図である。
デジタル複写機１には、上述した画像読取部２１、画像形成部２２および操作表示部２４が備えられており、さらに、これらを制御する制御部２０および画像データが記憶（保存）されるＨＤＤ４０が備えられている。
画像読取部２１は、周知の構成であり、原稿に向けて光を照射するスキャナ２１１が備えられており、原稿の画像データは、スキャナ２１１から原稿に向けて照射した光の反射光をＣＣＤイメージセンサ２１２で検出して、電気信号に変換することにより得られる。
【００１７】
制御部２０は、たとえば、マイクロコンピュータなどからなり、ＣＰＵ３０１、ＲＯＭ３０２、ＲＡＭ３０３および画像データに所定の処理を施すための画像処理部３０４が備えられている。
また、制御部２０には、画像読取部２１、画像形成部２２、操作表示部２４およびＨＤＤ４０が、それぞれＩ／Ｆ（インターフェース）３０５を介して、制御部２０との間で信号やデータの入出力が可能である。
【００１８】
原稿載置台２５に載置された原稿は、画像読取部２１においてその内容が画像データとして読取られ、その画像データは、ＣＣＤイメージセンサ２１２から、制御部２０の画像処理部３０４に送られる。そして、画像処理部３０４において所定の処理が施された画像データは、ＨＤＤ４０に送られて、ＨＤＤ４０にて記憶される（後述する）。
そして、複写紙に画像を形成（印刷）する場合には、ＨＤＤ４０に記憶されている画像データが読出されて画像処理部３０４に送られ、印刷のための信号処理が施されて画像形成部２２のＬＳＵ（レーザ操作ユニット）２２１に送られる。
【００１９】
画像形成部２２は、周知の構成であって、いわゆる電子写真方式により用紙に画像を形成するものであり、たとえば、図示しない感光体ドラムが一様に帯電させられ、ＬＳＵ２２１からその感光体ドラムに、画像データに基づいた光が照射されることで、感光体ドラムに静電潜像が形成される。そして、静電潜像がトナー像に現像され、用紙収容部２３から送られてきた複写紙にトナー像が転写され、転写されたトナー像が定着させられることで複写紙に画像が形成される。
【００２０】
ユーザは、書籍の見開き面の内容を読取る場合には、図５に示すように、見開き面を下向きにして左右に拡げて原稿載置台２５に載置し、その内容を読取らせる。このとき、書籍はその見開き面の中央部分が浮き上がるため、その副走査方向の長さＬが短くなり、また、その浮き上がる部分Ｆが影の領域となってしまう。
このため、たとえば、見開き面の左端を原稿載置台２５の左端にあわせるようにして、原稿載置台２５に書籍を載置した場合には、読取る対象が全体として左に寄っているため、通常の原稿と同様に画像形成を行うと、形成される画像の中心も、複写紙の中心からずれてしまう。そこで、この実施形態では、以下のような工夫がなされている。
【００２１】
図６は、制御部２０の制御手順を示すフローチャートであり、図７は、画像処理部３０４で行われる処理を説明するための図である。以下、図６および図７を参照して、具体的に説明する。
ユーザにより、書籍の見開き面の左端と原稿載置台２５の左端とが重なるようにして、書籍が左右に開かれて原稿載置台２５に載置され、スタートキー２４２ｂがオンされると（ステップＳ１でＹＥＳ）、まず、ブックモードが設定されているか否かが判別される。ユーザによりブックモード設定キー２４４がオンされておらず、ブックモードが設定されていない場合は（ステップＳ２でＮＯ）、書籍の見開き面の内容が画像データとして読取られ、その画像データを基に複写紙に画像が形成される（ステップＳ３）。
【００２２】
一方、ユーザによりブックモード設定キー２４４がオンされており、ブックモードが設定されている場合は（ステップＳ２でＹＥＳ）、書籍の見開き面の内容が画像データとして読取られるとともに（ステップＳ４）、見開き面の主走査方向の長さおよび副走査方向の長さが検知される（ステップＳ５）。そして、検知した副走査方向の長さの２分の１の位置を、見開き面のセンター位置として決定する（ステップＳ６）。また、検知した主走査方向の長さに応じて、その長さに対応する短辺を有する定形サイズの用紙を複写紙として決定する（ステップＳ７）。
【００２３】
図７においては、読取った画像データが概念的に示されており、図７（ａ）では、書籍の見開き面のデータである画像データ５０が実線で示されている。
画像データ５０の副走査方向の長さはｌ1である。また、ステップＳ７で決定された複写紙の長辺の長さはｌ2であり、ｌ1＜ｌ2である。すなわち、原稿載置台２５に載置された書籍は、中央部分が浮き上がっているため、見開き面の副走査方向の長さは、見開き面の左右両ページの短辺を合わせた長さよりも短くなっており、全体として副走査方向前方側に寄っている。たとえば、書籍の見開き面の片側のページがＡ４サイズであれば（見開き面の主走査方向の長さがＡ４サイズの用紙の長辺方向の長さであれば）、書籍の見開き面の本来のサイズはＡ３サイズであるため、ｌ2の長さは、Ａ３サイズの複写紙の長辺方向の長さとなる。
【００２４】
また、画像データ５０においては、ステップＳ６で決定したセンター位置に対応するセンターライン５０１を中心として、副走査方向に拡がる影領域５０２が存在している。画像データ５０は、画像処理部３０４に送られ、主走査方向の端部の領域である端部領域５０３に存在する影の副走査方向の位置および影の濃度が検知される（ステップＳ８）。
そして、検知した影の副走査方向の位置に応じて、その位置に存在する主走査方向に延びるラインデータが選択される。さらに、検知した濃度に応じて、検知した濃度が濃い場合にはそのラインデータの濃度を薄くし、検知した濃度が薄い場合には、そのラインデータの濃度を濃くする調整が行われる（ステップＳ９）。
【００２５】
書籍の見開き面は、見開き面の左右のページの接合部分にかけて徐々に浮き上がるため、画像データ５０の影領域５０２は、中央部分にかけて徐々に濃度が濃くなる。そこで、影の位置および濃度に応じて濃度調整を行うことで、画像データ５０を良好に補正することができる
このようにして、画像データ５０の影領域５０２が除去される（図７（ｂ）参照）。画像データ５０の端部領域５０３には、通常、文字のデータが含まれていないため、画像データ５０に含まれる影領域５０２の影の位置および濃度を的確に検知することができる。そして、その影の濃度に応じた濃度調整が行われることで、必要な文字等のデータを残しつつ、影を除去することができる。
【００２６】
濃度調整が行われた画像データ５０は、副走査方向中央に位置するセンターライン５０１で、副走査方向前半側のデータである前半画像データ５０４と、副走査方向後半側のデータである後半画像データ５０５とに２分割される（ステップＳ１０）。
そして、前半画像データ５０４の先端から後半画像データ５０５の後端までの長さがｌ2となるように、後半画像データ５０５が副走査方向後半側にずらされて、副走査方向の中央部分が無画像領域５１１となる画像データ５１が形成される（図７（ｃ）参照）。
【００２７】
このようにして形成された画像データ５１は、上述のようにＨＤＤ４０に記憶される。そして、ＨＤＤ４０から読み出された画像データ５１を基にして複写紙に画像が形成される（ステップＳ１１）。このとき、複写紙として、ステップＳ７で決定されたサイズの複写紙が用いられる。すなわち、画像データ５１は、Ａ３サイズの複写紙に形成される。これにより、Ａ３サイズの複写紙の長辺方向の中央部分を中心として、左右に均等に画像が形成される。
【００２８】
以上のように、この実施形態では、ブックモードが設定されている状態で書籍の見開き面が読取られると、画像データが副走査方向中央部分で２分割される。そして、その２分割された画像データの先端および後端が、選択された定形サイズの複写紙の長辺方向の先端および後端に揃うように複写が行われる。よって、複写した際の画像の中央部分と、複写紙の長辺方向の中央部分とが重なるため、複写紙の長辺方向中央のラインで複写紙上の画像が２分割されることになり見映えが良く、特に、複写紙を長辺方向中央のラインで２つ折りにした際の見映えが良い。ゆえに、書籍の見開き面の内容を良好に画像形成することができる。
【００２９】
また、画像データ５０の端部画領域５０３において影の位置および濃度が検知され、その影の位置および濃度に応じて画像データ５０のラインデータの濃度が調整されるので、書籍の見開き面の内容をさらに良好に画像形成することができる。
なお、上述の説明では、ステップＳ８で、検知された端部領域５０３の影の副走査方向の位置および濃度に応じて画像データ５０のラインデータの濃度調整が行われるとしたが、画像データ５０のセンターライン５０１を中心として副走査方向に拡がる一定領域を無画像領域とする補正がされてもよい。
【００３０】
このようにすれば、画像データ５０の影領域５０２を除去して、良好に複写紙に画像を形成することができる。
また、ステップＳ１０およびＳ１１で、画像データ５０が前半画像データ５０４および後半画像データ５０５に２分割され、後半画像データ５０５を副走査方向後半側にずらすことにより画像データ５１を形成するとしたが、ステップＳ５で検知された見開き面の主走査方向の長さよりもステップＳ７で選択された複写紙の短辺が一定割合長いときは、画像データ５０をその割合に応じて拡大し、その後、その拡大した画像データの副走査方向後半側の画像データを副走査方向後方側にずらしてもよい。
【００３１】
このようにすれば、画像を複写紙上において偏りなく形成することができる。よって、画像の見映えをより良くすることができる。
また、ユーザによりブックモード設定キー２４４がオンされることに応じてブックモードが設定されるとしたが、原稿押さえ板３が開いた状態でスタートキー２４２ｂがオンされることに応じて自動的にブックモードが設定されるものであってもよい。
【００３２】
このようにすれば、ユーザの操作を簡易なものとすることができる。
この発明は、以上説明した実施形態に限定されるものではなく、請求項記載の範囲内において種々の変更が可能である。
【図面の簡単な説明】
【００３３】
【図１】この発明の一実施形態にかかる画像処理装置を備えたデジタル複写機の構成を概略的に示す正面図である。
【図２】原稿押さえ板を上方に回転させた状態のデジタル複写機を概略的に示す図である。
【図３】操作表示部の構成を詳しく示す平面図である。
【図４】デジタル複写機の電気的構成を示すブロック図である。
【図５】書籍が原稿載置台に載置された状態を概略的に示す図である。
【図６】制御部の制御手順を示すフローチャートである。
【図７】画像処理部で行われる処理を説明するための図である。
【符号の説明】
【００３４】
１      デジタル複写機
２０    制御部
２１    画像読取部
２２    画像形成部
２５    原稿載置台
２４４  ブックモード設定キー
３０４  画像処理部
【図１】
2006186946.tif 000003
【図２】
2006186946.tif 000004
【図３】
2006186946.tif 000005
【図４】
2006186946.tif 000006
【図５】
2006186946.tif 000007
【図６】
2006186946.tif 000008
【図７】
2006186946.tif 000009